(57)【要約】【課題】手作業での巻取りに適したテープ巻取り器を提供する。【解決手段】  上下両端に大径のフランジ状部を付設した小径の軸棒部の回りにテープを巻き付け可能に構成したテープ巻取り器であって、  下側フランジ状部６の中央部から芯棒８を起立した第１エンド部材４と、  上側フランジ状部１４を有し、この上側フランジ状部１４の下面に前記芯棒８の上端部を着脱自在に嵌合させた嵌合穴１６を形成した第２エンド部材１２と、  前記芯棒８の回りに着脱自在に嵌合された縦向きのスリーブ筒２０とを具備し、  このスリーブ筒２０の筒壁の一部に縦方向全長に亘るテープ係止用のスリット２２を形成し、前記芯棒８とスリーブ筒２０とで形成される軸棒部Ａの周囲にテープ３４を巻き付け可能に形成した。【選択図】図１
2019218185.tif 000002
【特許請求の範囲】
【請求項１】
上下両端に大径のフランジ状部を付設した小径の軸棒部の回りにテープを巻き付け可能に構成したテープ巻取り器であって、
下側フランジ状部(６)の中央部から芯棒(８)を起立した第１エンド部材(４)と、
上側フランジ状部(１４)を有し、この上側フランジ状部(１４)の下面に前記芯棒(８の上端部を着脱自在に嵌合させた嵌合穴(１６)を形成した第２エンド部材(１２)と、
前記芯棒(８)の回りに着脱自在に嵌合された縦向きのスリーブ筒(２０)とを具備し、
このスリーブ筒(２０)の筒壁の一部に縦方向全長に亘るテープ係止用のスリット(２２)を形成し、前記芯棒(８)とスリーブ筒(２０)とで形成される軸棒部(Ａ)の周囲にテープ(３４)を巻き付け可能に形成したことを特徴とする、テープ巻取り器。
【請求項２】
前記芯棒(８)の外面に軸方向に長い係止リブ(１０)を付設し、この係止リブ(１０)が前記スリーブ筒(２０)のスリット(２２)内へ突入されるように設けた、請求項１に記載のテープ巻取り器。
【請求項３】
前記スリーブ筒(２０)は、弾力材料で形成され、前記芯棒(８)の外面へ弾性的に嵌着させるように構成したことを特徴とする、請求項１又は請求項２に記載のテープ巻取り器。
【発明の詳細な説明】
【技術分野】
【０００１】
本発明は、テープ巻取り器に関する。
【背景技術】
【０００２】
本出願人は、先にテープを巻装状態で内部に収納したペン型テープ収納具を提案している（特許文献１）。
このペン型収納具は、筒軸方向全長にテープ供給口であるスリットを開口した軸筒と、この軸筒の筒軸方向の両端部に着脱自在に取り付けた一対の蓋体と、これら両蓋体の間に架け渡した軸棒とからなる。
このペン型収納具内に、前記軸棒の回りに嵌合させたスリーブ筒の周囲にテープ（複数の付箋を破断線を介して連続させたものを含む）を巻装してなるロールテープを収納し、このロールテープから巻き出したテープを、前記スリットを介して外部へ取り出すことが可能に設けている。
本テープ巻取り器は、このペン型収納具内に収納可能な状態でテープを手動によって巻き取るために使用するものである。
【０００３】
テープを巻き取る技術に関しては次のものが知られている。
（１）テープ巻き付け用のハブの中央部に開口した軸孔内へ、下側円板の中央部から起立する駆動軸を嵌合するとともに、ハブの上部に上側円板の中央部下面に形成した陥没穴を嵌合させたテープ巻取り装置であって、駆動軸の外面と軸孔の内面とに相互にかみ合う係合歯を形成したもの（特許文献２）
（２）テープ巻き付け用の巻取りハブを円板状の下側フランジ及び上側フランジの各中央部の間に介在させて、これら下側フランジの中央部と巻取りハブと上側フランジの中央部とを、これらを貫通するボルト孔を通してボルト留めしたテープ巻取り装置であって、前記巻取りハブの周面の一部から巻取りハブの一部までを切り欠いて、この切欠き内にブロック体を嵌め込み、この切欠き内面とブロック体との間にテープの先端を固定したもの（特許文献３）。
【先行技術文献】
【特許文献】
【０００４】
【特許文献１】特開２０１６−１４１０９６
【特許文献２】特開２００５−１４９６８０
【特許文献３】特表２００６−５０６７６０
【発明の概要】
【発明が解決しようとする課題】
【０００５】
特許文献２の装置は、磁気記録再生装置用の磁気テープ或いはタイプライターやワードプロセッサー用の印字テープに、また特許文献３の装置は、データ記憶システムに使用されるテープにそれぞれ用いられるものであり、手作業でテープを巻き取るということを想定していなかった。
手作業でテープを巻き取るときには、手先が器用な利用者だけでなく手先が不器用な利用者でも問題なく使用できるように、簡単な操作で確実に巻取り器にテープを装着し、巻き取ることができることが望ましい。
【０００６】
本発明の目的は、手作業での巻取りに適したテープ巻取り器を提供することである。
【課題を解決するための手段】
【０００７】
第１の手段は、上下両端に大径のフランジ状部を付設した小径の軸棒部の回りにテープを巻き付け可能に構成したテープ巻取り器であって、
下側フランジ状部６の中央部から芯棒８を起立した第１エンド部材４と、
上側フランジ状部１４を有し、この上側フランジ状部１４の下面に前記芯棒８の上端部を着脱自在に嵌合させた嵌合穴１６を形成した第２エンド部材１２と、
前記芯棒８の回りに着脱自在に嵌合された縦向きのスリーブ筒２０とを具備し、
このスリーブ筒２０の筒壁の一部に縦方向全長に亘るテープ係止用のスリット２２を形成し、前記芯棒８とスリーブ筒２０とで形成される軸棒部Ａの周囲にテープ３４を巻き付け可能に形成した。
【０００８】
本手段では、図２に示すように、テープ巻取り器の下側フランジ状部６から起立する芯棒８に、スリット２２付きのスリーブ筒２０を嵌合することにより、テープ巻き付け用軸棒部Ａを形成している。これにより、例えば図３に示すように手作業でテープを取り付けることが容易となる。
【０００９】
第２の手段は、第１の手段を有し、かつ前記芯棒８の外面に軸方向に長い係止リブ１０を付設し、この係止リブ１０が前記スリーブ筒２０のスリット２２内へ突入されるように設けた。
【００１０】
本手段では、図２に示すように、前記芯棒８の外面に軸方向に長い係止リブ１０を付設し、この係止リブ１０が前記スリーブ筒２０のスリット２２内へ突入されるように設けている。これにより、スリット２２からのテープの抜け出しがより困難となる。
【００１１】
第３の手段は、第１の手段又は第２の手段を有し、かつ前記スリーブ筒２０は、弾力材料で形成され、前記芯棒８の外面へ弾性的に嵌着させるように構成した。
【００１２】
本手段では、弾力材料で形成されたスリーブ筒２０が前記芯棒８の外面へ弾性的に嵌着されるように構成している。これにより、図４（ｂ）に示すように、テープ３４の先端部がスリーブ筒２０の内面と芯棒８の外面との間に挟持され、テープ３４の先端部が不意に抜け出しすることを規制している。
【発明の効果】
【００１３】
第１の手段に係る発明によれば、例えばテープの端部を、芯棒に当接させ、この当接状態で当該テープが前記スリット内へ入るように芯棒の先端からスリーブ筒を嵌合し、最後に他方フランジを軸棒の先端に嵌着させるという単純な操作により、巻き付け状態が可能となる。
第２の手段に係る発明によれば、前記芯棒の外面に付設した係止リブがスリット内に突入するように設けたから、前記芯棒の外面とスリーブ筒の内面との間からのテープの端部の抜け出しを一層効果的に抑制することができる。
第３の手段に係る発明によれば、前記スリーブ筒が前記芯棒の外面へ弾性的に嵌着されるから、この嵌着状態でテープの端部を芯棒の外面とスリーブ筒の内面との間に挟持させることができ、従って芯棒の外面へスリーブ筒を嵌合させた後、芯棒の先端を他方のフランジに嵌着させるまでの間にテープの端部が不意に芯棒の外面とスリーブ筒の内面との間から抜け出してしまうことを防止できる。
【図面の簡単な説明】
【００１４】
【図１】本発明の実施形態に係るテープ巻取り器の斜視図である。
【図２】図１のテープ巻取り器の分解斜視図である。
【図３】図１のテープ巻取り器にテープの端部を取り付けるための作業の説明図であり、同図（Ａ）は当該取付作業の第１段階を、また同図（Ｂ）は当該取付作業の第２段階をそれぞれ示している。
【図４】図１のテープ巻取り器にテープを巻き付けるための作業の説明図であり、同図（Ａ）は当該巻き付け作業の全体俯瞰図を、また同図（Ｂ）は当該巻き付け作業の一部を拡大して示す図をそれぞれ示している。
【図５】図１のテープ巻取り器を別の方法で巻き付ける操作の説明図である。
【発明を実施するための最良の形態】
【００１５】
図１から図５は、本発明の実施形態に係るテープ巻取り器２を示している。
テープ巻取り器２は、縦向きの軸棒部の両端に上下一対のフランジ状部を付設した形状を有し、本実施形態において、第１エンド部材４と第２エンド部材１２とスリーブ筒２０とで形成されている。
これら各部材は、例えば合成樹脂材や金属で形成することができる。
本明細書において、
「エンド部材」とは、テープ巻取り器の両端（軸棒部の軸線方向の両端）を含む部材をいうものとする。
なお、「上」及び「下」という言葉は、単に物の構造を説明するために便宜的に用いられており、本実施形態で説明した構造を上下に反転させたものも本発明の技術的範囲に入る。
【００１６】
第１エンド部材４は、大径の下側フランジ状部６の中心部から芯棒８を起立させている。
本実施形態では、前記芯棒８とこの芯棒の外面に嵌合された後述のスリーブ筒２０とで軸棒部Ａを構成している。
なお、好適な一実施例として、実施形態では、軸棒部Ａの外径と下側フランジ状部６の外径との径差を、軸棒部Ａに巻き付けられるべきテープ３４の厚みと想定している。従って、前記下側フランジ状部６及びスリーブ筒２０の外径は、一個のテープ巻取り器２に巻き取るテープ３４の所要量に応じて設計することが望ましい。
前記下側フランジ状部６は、図示例において、縦向きの短い円柱状に形成しており、その上面を、テープ３４の下縁の位置を規制するエッジ規制面６ａとして平坦に形成している。また前記円柱の外周面を、利用者が把持・回転などの操作をするための操作面６ｂとしている。
本明細書において、「フランジ状部」とは、縦方向の軸棒部Ａから水平方向全周へ張り出した形態をいうものとし、狭義のフランジの他に、円柱状のもの、或いは、芯棒８からフランジを介して縦向きのカラー（円筒部）をエッジ規制面６ａと反対側へ突出した形状などを含む。また円柱状の構造であって、周方向に一つ又は複数の肉抜き孔を形成した構造であってもよい。
従来の技術では、フランジ状部に相当する部分を、鍔状の水平板に形成しているが、本発明のテープ巻取り器は、手作業で操作するものであり、前述の操作面６ｂをある程度大きくとる必要があるため、フランジ状部を背高の部位に形成している。この説明は下側フランジ状部６だけでなく、後述の上側フランジ状部１４にも援用される。
前記芯棒８は、第１エンド部材４を後述の第２エンド部材１２へ連結するための連結棒としての役割、及び、テープ巻取り用の軸棒部Ａの芯としての役割を有し、これらの役割を実現できる程度の太さ及び強度を有するように設計する。
前記芯棒８の外面の一側には、長手方向全体に亘って係止リブ１０が縦設されている。
この係止リブ１０の上端部は、後述の係合溝部１８内に嵌着させるためのもの、また上端部を除く係止リブ部分は、後述のスリーブ筒２０のスリット２２内に嵌挿させるためのものであり、これら２つのリブ部分は役割が異なる。従って、図示はしないが、係合溝部１８への嵌着用の第１係止リブ、及び、スリット２２への嵌挿用の第２係止リブを、芯棒８の外面の別の場所に形成しても構わない。しかしながら、図示のように一本の係止リブとすることにより、構造が簡単となるというメリットがある。
【００１７】
第２エンド部材１２は、大径の上側フランジ状部１４を有し、その下面をテープ３４の上縁の位置を規制するエッジ規制面１４ａとして平坦に形成している。また前記上側フランジ状部１４の外周面を、利用者が把持・回転などの操作をするための操作面１４ｂとしている。
図示例においては、上側フランジ状部１４の外径と下側フランジ状部６の外径とを等しく形成している。軸棒部Ａに巻き付けられたテープ３４の外面が、下側フランジ状部６及び上側フランジ状部１４の外周面に面一になった状態で所要長さのテープが巻き取れたことを利用者が認知し易くするためである。
前記第２エンド部材１２の下面には、前記芯棒８の上端部を嵌着するための嵌合穴１６を形成している。この嵌合穴１６の内周面の一部には、前記係止リブ１０を嵌入させるための係合溝部１８を縦設している。
【００１８】
スリーブ筒２０は、第１エンド部材４及び第２エンド部材１２の間に一定の距離を確保するスペーサーとしての機能を有する。
好適な図示例では、前記スリーブ筒２０の筒壁の周方向の一部を、筒長全長に亘ってスリット２２を穿設している。このスリット２２は、筒軸方向（上下方向）に直線的に延び、かつ一定の幅を有する。当該スリット２２を形成することにより、スリーブ筒２０の横断面形状は、略Ｃ字形となる。スリット２２の幅は、前記係止リブ１０と略同じ長さとする。
前記スリーブ筒２０は、弾性材料で形成する。スリーブ筒２０の内径は、芯棒８の外径と同径としてもよいが、当該外径よりやや小さくしてもよい。こうすることにより、スリーブ筒２０を芯棒８の外面へ嵌合させたときに、スリーブ筒２０が芯棒８の外面に弾性的に圧着させ、抱持させることができる。またスリーブ筒２０の内径を、芯棒８の外径よりやや大きくするとともに、スリーブ筒２０に内面に芯棒８の外面への圧接用突条を付設してもよい。
【００１９】
前記スリーブ筒２０の筒長は、テープ３４の幅よりやや長くすることが好適である。
その理由は、スリーブ筒２０の筒長がテープ３４の幅と同じであると、テープを巻き取るときにテープ３４の幅方向の端部（側端部）がエンド部材側へ巻き込まれてしまい、適当に巻き取ることができなくなる可能性があるからである。前記スリーブ筒２０の筒長を、テープ３４の幅に余裕代を加えた長さとすることにより、テープを巻き取るときに上側フランジ状部１４及び下側フランジ状部６との間に、テープ３４が確実に収まるようにすることができる。
好適な一実施例として、テープ３４の幅が１５ｍｍ程度であるときに、余裕代は０．３ｍｍ程度あればよい。
この余裕代は、巻き込みを防止するための最小限の長さである。巻取り方法の好適な一例として、芯棒８の先端部を嵌合穴１６内に嵌合させるときに、スリーブ筒２０の端部と上側フランジ状部１４又は下側フランジ状部６との間に多少の隙間を残して緩く嵌合させ、この状態で、軸棒部Ａの周囲に対して、水平面からの多少のズレを許容する範囲でテープ３４を巻き付け、後に上側フランジ状部１４及び下側フランジ状部６を上下方向から指で挟み付けて、テープの蛇行の幅を余裕代以下に規制するということができる。この点については、さらに後述する。
【００２０】
前記構成において、本テープ巻取り器を使用するときには、図４に示すように、芯材３２の周囲にテープ３４を巻装させてなるテープ巻装体３０から巻き出したテープ３４を、軸棒部Ａの周囲に巻き取ればよい。以下、その手順を説明する。
（１）テープ巻取り器２へのテープ３４の先端部の取付け
図３（Ａ）に示すように、前記係止リブ１０の周方向の側面から芯棒８の外周面の隣接箇所に亘ってテープの先端部を当接（付箋タイプのテープの場合には粘着）させる。この状態から、前記係止リブ１０がスリット２２内へ嵌挿されるように、第２エンド部材１２の嵌合穴１６内へ芯棒８を嵌め込む。そうすると、図４（Ｂ）に示すように、テープ３４の先端部が芯棒８の外周面とスリーブ筒２０の外面との間、及び、芯棒８の係止リブ１０の周方向の側面とスリット２２の孔縁との間にそれぞれ挟持される。そしてテープ３４の残りの部分はスリット２２より外方へ突出される。これにより、テープ３４の先端部が不意にスリット２２から脱落することを防止できる。
（２）テープ巻装体３０からテープ巻取り器２へのテープの巻取り
次に、図４（Ａ）に示すように、テープ巻装体３０の外周部を、下側フランジ状部６のエッジ規制面６ａと上側フランジ状部１４のエッジ規制面１４ａとの間に挟む。これによりテープ３４の上下両縁が上下方向にずれることを規制している。
この状態で、テープ巻装体３０の外面を軸棒部Ａの外面に当接させ、この当接状態を保ったままで、図４（Ａ）に矢持する如く、テープ巻装体３０を軸棒部Ａの回りへ回転させる。このようにすると、テープ巻装体３０は、前記回転操作のうちの最初の一回転分では軸棒部Ａの外面に、またその後は、軸棒部Ａに巻き付けられたテープ３４の外面に常時当接しているので、回転操作が安定し、軸棒部Ａとテープ巻装体３０との間のテープ部分に弛みなどを生じにくい。
前記軸棒部Ａに巻き付けられたテープ３４の外周面が、下側フランジ状部６及び上側フランジ状部１４の操作面６ｂ、１４ｂと面一になった状態（図示せず）となったときには、所要の長さのテープ３４が巻き付けられたものとして、巻き付け作業を終了する。
図５は、図４（Ａ）とは別の巻き方を示すものであり、上側フランジ状部１４を把持しながら、下側フランジ状部６を矢示の如く回転させ、テープを巻き取る手順を示している。
（３）巻き取られたテープの取り出し
巻き取り作業が終了したときには、前記下側フランジ状部６及び上側フランジ状部１４の間の空間からテープ巻装体３０の外周部を取り出す。そしてテープ巻取り器２とテープ巻装体３０との間のテープ３４を切断する。
次に前記芯棒８から上側フランジ状部１４を取り外し、次にテープ３４を外側に巻装したスリーブ筒２０を、芯棒８から取り出し、このテープ３４付きのスリーブ筒２０を、例えば特許文献１のペン型ディスペンサーにいうロールテープとして、当該ディスペンサーの軸筒内に収納して使用することができる。
【００２１】
さらに本テープ巻取り器２を用いたテープ巻取り方法の好適な実施例を説明する。
この際に、テープ巻装体３０の上下の幅と、下側フランジ状部６及び上側フランジ状部１４との間の距離が全く同じであると、テープ巻装体３０が下側フランジ状部６及び上側フランジ状部１４のエッジ規制面６ａ、１４ａに擦り付けられ、回転操作の邪魔になる。
そこで既述の如く、芯棒８の上端部に、上側フランジ状部１４を取り付けるときに、スリーブ筒２０と下側フランジ状部６又は上側フランジ状部１４との間に隙間を生ずるように緩く嵌合させておき、縦向きの軸棒部Ａに対して、水平面に対して多少のズレを許容した状態でテープ３４を巻き付けるとよい。それにより下側フランジ状部６又は上側フランジ状部１４とテープ巻装体３０との隙間を生じ、摩擦を生じにくいので、円滑にテープ３４を軸棒部Ａの回りにスムーズに巻き付けることができる。
こうした状態で巻き付けを行うと、テープ３４が軸棒部Ａの外周面を上下方向にブレて不規則に蛇行することになる可能性があるが、その状態のままで所要長さのテープ３４を巻き付け、巻き付けが完了した後に、下側フランジ状部６及び上側フランジ状部１４を上下方向から指で挟んで、スリーブ筒２０の下端面を下側フランジ状部６の上面に、またスリーブ筒２０の上端面を上側フランジ状部１４の下面にそれぞれ突き当てる。そうすることで、軸棒部Ａに巻き付けられたテープ３４の下面及び上面はほぼ面一になり、前記テープの蛇行を許容範囲内に規制することができる。
【符号の説明】
【００２２】
２…テープ巻取り器  ４…第１エンド部材  ６…下側フランジ状部
６ａ…エッジ規制面
６ｂ…操作面
８…芯棒  １０…係止リブ  
１２…第２エンド部材  １４…上側フランジ状部  １４ａ…エッジ規制面
１４ｂ…操作面
１６…嵌合穴  １８…係合溝部
２０…スリーブ筒  ２２…スリット
３０…テープ巻装体  ３２…芯部  ３４…テープ
Ａ…軸棒部  
【図１】
2019218185.tif 000003
【図２】
2019218185.tif 000004
【図３】
2019218185.tif 000005
【図４】
2019218185.tif 000006
【図５】
2019218185.tif 000007